(57)【要約】【課題】  伝送エラーの発生箇所を特定することができる放送用テレビカメラ装置を提供する。【解決手段】  第１スイッチ部２３と第２スイッチ部３５とを切り替えることで、カメラヘッド部１からの映像信号をＣＲＣ符号を変更することなくカメラ制御装置３から出力させる経路、当該映像信号をカメラアダプタ部２でＣＲＣ符号を再計算してカメラ制御装置３から出力させる経路、当該映像信号をカメラ制御装置３でＣＲＣ符号を再計算してカメラ制御装置３から出力させる経路を選択することができ、各経路による伝送エラーの検出結果を総合することで、カメラヘッド部１から誤り検出装置４に至るいずれの伝送路で伝送エラーが生じたかを判定することができる。【選択図】  図１
2012175203.tif 000002
【特許請求の範囲】
【請求項１】
カメラヘッド部とカメラアダプタ部とを接続し、カメラアダプタ部とカメラ制御装置とを接続した放送用テレビカメラ装置において、
カメラヘッド部は、撮影した映像信号を１水平走査線毎にＣＲＣ符号を付してカメラアダプタ部へ送信する送信手段を有し、
カメラアダプタ部は、カメラヘッド部から受信した１水平走査線毎の映像信号をそのＣＲＣ符号を変更することなくカメラ制御装置へ送信する経路と、カメラヘッド部から受信した１水平走査線毎の映像信号をそのＣＲＣ符号を再計算してカメラ制御装置へ送信する経路と、これら経路を選択的に切り替える第１スイッチと、を有し、
カメラ制御装置は、カメラアダプタ部から受信した１水平走査線毎の映像信号をそのＣＲＣ符号を変更することなく誤り検出装置へ送信する経路と、カメラアダプタ部から受信した１水平走査線毎の映像信号をそのＣＲＣ符号を再計算して誤り検出装置へ送信する経路と、これら経路を選択的に切り替える第２スイッチと、を有していることを特徴とする放送用テレビカメラ装置。
【発明の詳細な説明】
【技術分野】
【０００１】
本発明は、カメラヘッド部、カメラアダプタ部、カメラ制御装置を接続して構成される放送用テレビカメラ装置に関し、特に、これら接続部を伝送するデータの誤り検出に関する。
【背景技術】
【０００２】
放送用素材は、屋内や屋外の現場において現場スタッフが映像を撮影して、この映像を制御室へ送信し、また、制御室では送信されてきた映像をチェックして現場の撮影スタッフに指示を送る、といった作業により収録される。
【０００３】
このような放送素材の収録作業に用いられる放送用テレビカメラ装置は、カメラヘッド部により映像を撮影し、撮影された映像信号をカメラアダプタ部により制御室のカメラ制御装置へ送信する構成となっており、カメラヘッド部、カメラアダプタ部、カメラ制御装置をそれぞれ別個な装置部分として、これら装置部分を接続した構成とすることにより、撮影現場と制御室とを別途な作業空間として、制御室における作業が撮影現場に影響を与えないようにし、また、撮影現場で取り扱う装置部分を少なくすることにより、現場スタッフの作業を容易化している。
【０００４】
上記のような事情から、放送用テレビカメラ装置は、カメラヘッド部とカメラアダプタ部とを接続し、このカメラアダプタ部とカメラ制御装置とを接続した構成となっているが、特に、撮影現場に存するカメラアダプタ部からカメラ制御装置との接続は光ファイバや同軸ケーブルなどの比較的長い伝送路で接続される。
しかしながら、カメラ制御装置へ至る伝送路において、映像信号に外来ノイズ等による伝送誤り（ビットエラー）が生ずる虞があるため、このエラーの有無を検査する必要がある。
【０００５】
撮影現場とカメラ制御装置との間をＨＤ−ＳＤＩ信号で伝送するＨＤテレビカメラ装置を例にとって、従来の放送用テレビカメラ装置における誤り検出を説明する。
【０００６】
非圧縮のＨＤＴＶ信号を光ファイバや同軸ケーブル等でシリアルデジタル伝送する規格としてＨＤ−ＳＤＩ信号がある。このＨＤ−ＳＤＩ信号の伝送路での外来ノイズ等によるビットエラーの有無を検出するため、１水平走査線毎の映像信号の輝度信号と色差信号の各々についてＣＲＣ（巡回冗長検査）符号を付加して、送信側（カメラアダプタ部側）で計算したＣＲＣ符号の計算結果と、受信側（カメラ制御装置側）で再計算したＣＲＣ符号の計算結果が一致しているかどうかで、１水平走査線中に輝度信号または色差信号にビットエラーがあったかどうかを検出している。
【０００７】
なお、特許文献１には、カメラヘッド部からカメラ制御装置に至る伝送路における伝送誤りについて、伝送エラービット数を検出して表示する技術が開示されている。
【先行技術文献】
【特許文献】
【０００８】
【特許文献１】特開２００９−３８７６６号公報
【発明の概要】
【発明が解決しようとする課題】
【０００９】
従来は、装置の最終出力（カメラ制御装置からの出力）についてＣＲＣ符号による伝送誤りの検出を行っているが、放送用テレビカメラ装置においては、最終出力について単純に誤り検出をしているだけでは、伝送エラーを発生する  箇所を特定できないという課題があった。
【００１０】
ＨＤテレビカメラ装置を例にとってより具体的に説明すると、通常、ＣＲＣ符号は装置の最終出力のＨＤ−ＳＤＩ信号に割り当てられ、カメラ制御装置に誤り検出機能を有する波形モニタを接続して、この波形モニタ（誤り検出装置）によりカメラ制御装置までの伝送路について伝送エラーの有無を検出していた。
【００１１】
しかしながら、ＢＯＸカメラのように撮像部とＨＤ−ＳＤＩ送信部が一体となっているカメラ装置の構成とは異なって、撮像部を含むカメラヘッド部と、映像信号を光ファイバ等で長距離伝送するための送信装置であるカメラアダプタ部と、光ファイバなどから受信する機能や映像信号を複数回線に分配する機能を有するカメラ制御装置とが、各々ＨＤ−ＳＤＩ信号を伝送する伝送路で接続されている放送用テレビカメラ装置では、装置の最終出力（すなわちカメラ制御装置のＨＤ−ＳＤＩ信号出力）のＣＲＣ符号を監視しているだけでは、いずれの伝送路で伝送エラーが発生したのかを判定することができない。
【００１２】
すなわち、カメラヘッド部とカメラアダプタ部との間の伝送路で伝送エラーが発生したのか、あるいは、カメラアダプタ部とカメラ制御装置との間の伝送路で伝送エラーが発生したのか、更には、カメラ制御装置と誤り検出装置（波形モニタ）との間の伝送路で伝送エラーが発生したのか、を判定することができないという課題があった。
【００１３】
本発明は、上記従来の課題を解決するためになされたもので、伝送エラーの発生箇所を特定することができる放送用テレビカメラ装置を提供することを目的としている。
【課題を解決するための手段】
【００１４】
本発明は、用途の必要性などから、カメラヘッド部とカメラアダプタ部とを接続し、カメラアダプタ部とカメラ制御装置とを接続した構成となる放送用テレビカメラ装置を対象としている。
すなわち、本発明は、コネクタやケーブルなどの伝送路の形式に係わらず、伝送路によってカメラヘッド部、カメラアダプタ部、カメラ制御装置が接続され、更には、カメラ制御装置と誤り検出装置との間も伝送路で接続される放送用テレビカメラ装置を対象としている。
本発明は、放送用のＨＤテレビカメラ装置に適用して好適であるが、他の方式の放送用テレビカメラ装置に適用してもよい。
【００１５】
そして、上記いずれの伝送路で伝送エラーが発生したかを判定するために、本発明では、カメラヘッド部は、撮影した映像信号を１水平走査線毎にＣＲＣ符号を付してカメラアダプタ部へ送信する送信手段を有し、また、カメラアダプタ部は、カメラヘッド部から受信した１水平走査線毎の映像信号をそのＣＲＣ符号を変更することなくカメラ制御装置へ送信する経路と、カメラヘッド部から受信した１水平走査線毎の映像信号をそのＣＲＣ符号を再計算してカメラ制御装置へ送信する経路と、これら経路を選択的に切り替える第１スイッチと、を有し、また、カメラ制御装置は、カメラアダプタ部から受信した１水平走査線毎の映像信号をそのＣＲＣ符号を変更することなく誤り検出装置へ送信する経路と、カメラアダプタ部から受信した１水平走査線毎の映像信号をそのＣＲＣ符号を再計算して誤り検出装置へ送信する経路と、これら経路を選択的に切り替える第２スイッチと、を有している。
【００１６】
本発明の放送用テレビカメラ装置によれば、第１スイッチと第２スイッチとを切り替えることにより、カメラヘッド部からの映像信号をＣＲＣ符号を変更することなくカメラ制御装置から出力させる経路Ａ、カメラヘッド部からの映像信号をカメラアダプタ部でＣＲＣ符号を再計算してカメラ制御装置から出力させる経路Ｂ、カメラヘッド部からの映像信号をカメラ制御装置でＣＲＣ符号を再計算してカメラ制御装置から出力させる経路Ｃを選択することができる。
【００１７】
したがって、経路Ｃを選択することにより、カメラ制御装置と誤り検出装置との間の伝送エラーの有無を検出することができ、また、経路Ｂを選択することにより、カメラアダプタ部と誤り検出装置との間の伝送エラーの有無を検出することができ、また、経路Ａを選択することにより、カメラヘッド部と誤り検出装置との間の伝送エラーの有無を検出することができので、これら検出結果を総合することで、カメラヘッド部、カメラアダプタ部、カメラ制御装置、誤り検出装置をそれぞれ接続する伝送路のいずれにおいて伝送エラーが生じたかを判定することができる。
【００１８】
ここで、各伝送路において、送信側でＣＲＣ符号を付して映像信号を送信し、受信側でそのＣＲＣ符号を検査することで、上記各伝送路における伝送エラーの検出を行うことはできるが、このような方法によれば、各伝送路の受信側（カメラアダプタ部、カメラ制御装置、誤り検出装置）にそれぞれ誤り検出装置を設けなければならず、これら誤り検出処理のために消費電力が増大し、更には、これら誤り検出装置を設けることにより放送用テレビカメラ装置の構成が複雑化及び大型化してしまうという問題が生ずる。
これに対して、本発明では、誤り検出装置はカメラ制御装置に接続される１台で足りるため、このような問題を生ずることなく伝送エラーの生じた伝送路を判定することができる。
【００１９】
なお、カメラアダプタ部とカメラ制御装置では、スイッチの切り替えにより、映像信号をＣＲＣ符号を変更することなく送信する経路と、映像信号をＣＲＣ符号を再計算して送信する経路とのいずれかが選択されるが、ＣＲＣ符号の再計算にはある程度の時間を要するため、ＣＲＣ符号の再計算を行う経路と行わない経路との処理時間を同期させる必要がある場合には、本発明では、次のような方法を採用して、これら経路間の信号通過時間の差を可及的に小さくするようにしてもよい。
【００２０】
すなわち、カメラアダプタ部において、カメラヘッド部から受信した１水平走査線毎の映像信号をそのＣＲＣ符号を変更することなくカメラ制御装置へ送信する経路には、受信した映像信号からＣＲＣ符号を一旦取り出して、このＣＲＣ符号を当該受信した映像信号に再度付加するＣＲＣ取り出し手段を設け、カメラアダプタ部における経路間の信号通過時間の差を可及的に小さくする。
また、カメラ制御装置において、カメラアダプタ部から受信した１水平走査線毎の映像信号をそのＣＲＣ符号を変更することなく誤り検出装置へ送信する経路には、受信した映像信号からＣＲＣ符号を一旦取り出す手段、このＣＲＣ符号を当該受信した映像信号に再度付加する手段を設け、カメラ制御装置における経路間の信号通過時間の差を可及的に小さくする。
【発明の効果】
【００２１】
本発明によると、放送用テレビカメラ装置について、構成の複雑化や大型化を招くことなく、また、消費電力の増大を招くことなく、伝送エラーの発生箇所の判定を実現することができる。
【図面の簡単な説明】
【００２２】
【図１】本発明の一実施形態に係る放送用ＨＤテレビカメラ装置の構成を説明する図である。
【図２】本発明の一実施形態に係る放送用ＨＤテレビカメラ装置の装置構成を説明する図である。
【図３】本発明の一実施形態で用いられる映像信号を送信するデータ構成を説明する図である。
【発明を実施するための形態】
【００２３】
本発明の一実施形態に係る放送用ＨＤテレビカメラ装置を、図面を参照して説明する。
図２には、本実施形態に係る放送用ＨＤテレビカメラ装置の概要を示してある。この放送用ＨＤテレビカメラ装置は、ＨＤＴＶカメラヘッド部１、カメラアダプタ部２、カメラ制御装置、誤り検出器として機能する波形モニタ４を備えており、ＨＤＴＶカメラヘッド部１とカメラアダプタ部２とをコネクタ５で接続し、カメラアダプタ部２とカメラ制御装置３とを光ファイバケーブル６で接続し、カメラ制御装置３と波形モニタ４とをシリアル伝送ケーブル７で接続した構成となっている。
【００２４】
ＨＤＴＶカメラヘッド部１は、レンズ１０を通して映像を撮影する機能と、撮影した映像信号を１水平走査線毎にＣＲＣ符号を付したＨＤ−ＳＤＩ信号としてカメラアダプタ部２へ送信する機能を有している。
【００２５】
図３には、ＨＤ−ＳＤＩ信号をシリアルデータとして送信するデータフォーマットを示してあり、１水平走査線毎の映像信号を載せる有効映像データ部９０、この有効映像データ部９０に載せられた映像信号についてのＣＲＣ符号を載せるＣＲＣ部９１、オーディオデータや制御用のＣＰＵデータを載せる水平ブランキングデータ部９２が設けられている。
すなわち、ＨＤＴＶカメラヘッド部１は、撮影した１水平走査線毎の映像信号を有効映像データ部９０に載せ、この映像信号についてのＣＲＣ符号をＣＲＣ部９１に載せて、コネクタ５による伝送路を通してカメラアダプタ部２へ送信する。
【００２６】
カメラアダプタ部２は、コネクタ５を通してＨＤＴＶカメラヘッド部１から受信したＨＤ−ＳＤＩ信号をパラレルデータに変換するシリアル／パラレル変換部（Ｓ／Ｐ）２０、このＨＤ−ＳＤＩ信号のＣＲＣ符号を取り出すＣＲＣ取り出し部２１、このＨＤ−ＳＤＩ信号のＣＲＣ符号を再計算するＣＲＣ計算部２２、ＣＲＣ取り出し部２１とＣＲＣ計算部２２のいずれかに選択的に接続するスイッチ部２３、ＨＤ−ＳＤＩ信号にＣＲＣ符号を付加するＣＲＣ多重部２４、図外のマイクロフォンで集音されたオーディオデータや制御用のＣＰＵデータをＨＤ−ＳＤＩ信号に載せるデータ多重部２５、ＨＤ−ＳＤＩ信号をシリアルデータに変換するパラレル／シリアル変換部（Ｐ／Ｓ）２６、ＨＤ−ＳＤＩ信号を光信号に変換して光ファイバケーブル６を通してカメラ制御装置３へ送信する電／光変換部（Ｅ／Ｏ）２７を有している。
【００２７】
したがって、スイッチ部２３をＣＲＣ取り出し部２１に接続した状態では、ＣＲＣ取り出し部２１がＨＤ−ＳＤＩ信号のＣＲＣ部９１からＣＲＣ符号を一旦取り出し、ＣＲＣ多重部２４が当該ＣＲＣ符号を変更することなく再び元のＨＤ−ＳＤＩ信号のＣＲＣ部９１に載せる。他方、スイッチ部２３をＣＲＣ計算部２２に接続した状態では、ＣＲＣ計算部２２が、ＨＤ−ＳＤＩ信号のＣＲＣ部９１からＣＲＣ符号を取り出し、当該ＨＤ−ＳＤＩ信号の有効映像データ部９０に載せられている映像信号のＣＲＣ符号を計算し、ＣＲＣ多重部２４が当該新たに計算されたＣＲＣ符号をＣＲＣ部９１に載せる。
【００２８】
すなわち、スイッチ部２３をＣＲＣ取り出し部２１に接続した状態では、ＨＤＴＶカメラヘッド部１から受信したＨＤ−ＳＤＩ信号をＣＲＣ符号を変更することなくカメラ制御装置３へ送信し、他方、スイッチ部２３をＣＲＣ計算部２２に接続した状態では、ＨＤＴＶカメラヘッド部１から受信したＨＤ−ＳＤＩ信号を新たに計算したＣＲＣ符号に変更してカメラ制御装置３へ送信する。
なお、本実施形態では、ＣＲＣ取り出し部２１がＣＲＣ符号を一旦取り出し、ＣＲＣ多重部２４が当該ＣＲＣ符号を再びＨＤ−ＳＤＩ信号に載せる処理を行うことで、スイッチ部２３をＣＲＣ取り出し部２１に接続した状態とＣＲＣ計算部２２に接続した状態とにおけるＨＤ−ＳＤＩ信号の通過時間差を可及的に小さくしている。
【００２９】
カメラ制御装置３は、光ファイバケーブル６を通してカメラアダプタ部２から受信したＨＤ−ＳＤＩ信号を電気信号に変換する光／電変換部（Ｏ／Ｅ）３０、このＨＤ−ＳＤＩ信号をパラレルデータの変換するシリアル／パラレル変換部（Ｓ／Ｐ）３１、このＨＤ−ＳＤＩ信号からオーディオデータやＣＰＵデータを分離するデータ分離部３２、このＨＤ−ＳＤＩ信号のＣＲＣ符号を取り出すＣＲＣ取り出し部３３、このＨＤ−ＳＤＩ信号のＣＲＣ符号を再計算するＣＲＣ計算部３４、ＣＲＣ取り出し部３３とＣＲＣ計算部３４のいずれかに選択的に接続するスイッチ部３５、ＨＤ−ＳＤＩ信号にＣＲＣ符号を付加するＣＲＣ多重部３６、ＨＤ−ＳＤＩ信号をシリアルデータに変換して伝送ケーブル７を通して波形モニタ４へ出力するパラレル／シリアル変換部（Ｐ／Ｓ）３７を有している。
なお、カメラ制御装置３はＨＤ−ＳＤＩ信号に含まれる映像信号を図外のビデオサーバーへ出力する機能や、複数回線に分配する機能を有している。
【００３０】
したがって、スイッチ部３５をＣＲＣ取り出し部３３に接続した状態では、ＣＲＣ取り出し部３３がＨＤ−ＳＤＩ信号のＣＲＣ部９１からＣＲＣ符号を一旦取り出し、ＣＲＣ多重部３６が当該ＣＲＣ符号を変更することなく再び元のＨＤ−ＳＤＩ信号のＣＲＣ部９１に載せる。他方、スイッチ部３５をＣＲＣ計算部３４に接続した状態では、ＣＲＣ計算部３４が、ＨＤ−ＳＤＩ信号のＣＲＣ部９１からＣＲＣ符号を取り出し、当該ＨＤ−ＳＤＩ信号の有効映像データ部９０に載せられている映像信号のＣＲＣ符号を計算し、ＣＲＣ多重部３６が当該新たに計算されたＣＲＣ符号をＣＲＣ部９１に載せる。
【００３１】
すなわち、スイッチ部３５をＣＲＣ取り出し部３３に接続した状態では、カメラアダプタ部２から受信したＨＤ−ＳＤＩ信号をＣＲＣ符号を変更することなく波形モニタ４へ出力し、他方、スイッチ部３５をＣＲＣ計算部３４に接続した状態では、カメラアダプタ部２から受信したＨＤ−ＳＤＩ信号を新たに計算したＣＲＣ符号に変更して波形モニタ４へ出力する。
なお、本実施形態では、ＣＲＣ取り出し部３３がＣＲＣ符号を一旦取り出し、ＣＲＣ多重部３６が当該ＣＲＣ符号を再びＨＤ−ＳＤＩ信号に載せる処理を行うことで、スイッチ部３５をＣＲＣ取り出し部３３に接続した状態とＣＲＣ計算部３４に接続した状態とにおけるＨＤ−ＳＤＩ信号の通過時間差を可及的に小さくしている。
【００３２】
波形モニタ４は、カメラ制御装置３から伝送ケーブル７を通して入力されたＨＤ−ＳＤＩ信号（映像信号）の波形を表示する機能の他、当該映像信号についてそのＣＲＣ符号により伝蔵エラーを検出し、その検出結果をスタッフが認識できる態様で出力する誤り検出器としての機能を有している。
波形モニタ４には、スタッフからの操作を受け付けて、スイッチ部２３、３５の切り替え制御信号Ｘ、Ｙを送信する切り替え器が設けられており、スイッチ部２３、３５は切り替え制御信号Ｘ、ＹによりＣＲＣ取り出し部又はＣＲＣ計算部に接続した状態に切り替えられる。
【００３３】
なお、本実施形態では、誤り検出器として機能する波形モニタ４を用いているが、本発明では、誤り検出機能に特化した誤り検出装置を用いてもよい。
【００３４】
上記の放送用ＨＤテレビカメラ装置は、カメラヘッド部１とカメラアダプタ部２とをコネクタ５で接続して一体に組み付け、全体として軽量且つ小型なものとなっており、現場で撮影作業をするスタッフが容易に取り扱うことができるようになっている。
また、カメラ制御装置３及び波形モニタ４は撮影現場から離れた制御室に設置され、撮影現場で使用されるカメラアダプタ部２とカメラ制御装置３は光ファイバケーブル６による長尺な伝送路で接続されている。
したがって、上記の放送用ＨＤテレビカメラ装置は、撮影現場でのスタッフの撮影作業を容易化し、しかも、制御室での制御作業を撮影現場から遠隔な場所で行うようにして、制御作業による騒音が撮影現場の環境に影響を与えてしまうなどの不具合を回避することができる。
【００３５】
上記の放送用ＨＤテレビカメラ装置は、ＨＤＴＶカメラヘッド部１とカメラアダプタ部２とをコネクタ５による伝送路で接続し、また、カメラアダプタ部２とカメラ制御装置３とを光ファイバケーブル６による伝送路で接続し、また、カメラ制御装置３と波形モニタ４とをシリアル伝送ケーブル７による伝送路で接続した構成となっており、ＨＤＴＶカメラヘッド部１で撮影された１水平走査線毎の映像信号がＣＲＣ符号を付されてこれら伝送路を順次伝送して波形モニタ４へ出力され、伝送エラーが生じる場合には、下記のようにして、いずれの伝送路において伝送エラーが生じたのか判定される。
【００３６】
次に、上記の放送用ＨＤテレビカメラ装置による動作を説明する。
ＨＤＴＶカメラヘッド部１で撮像された映像信号は、ＣＲＣ符号を付加されてＨＤ−ＳＤＩ信号として、コネクタ５による伝送路を通してカメラアダプタ部２に伝送される。
カメラアダプタ部２では、コネクタ５による伝送路を通して伝送されてきたＨＤ−ＳＤＩ信号をＳ／Ｐ変換部２０でパラレル信号に変換する。
【００３７】
そして、スイッチ部２３がＣＲＣ取り出し部２１に接続されている場合には、ＣＲＣ取り出し部２１が、１水平走査線毎に映像信号の輝度信号および色差信号に多重されたＣＲＣ符号を取り出し、このＣＲＣ符号をＣＲＣ多重部２４が元のＨＤ−ＳＤＩ信号に再び付加する。
他方、スイッチ部２３がＣＲＣ計算部２２に接続されている場合には、ＣＲＣ計算部２２が、１水平走査線毎に映像信号の輝度信号および色差信号についてＣＲＣ符号をＨＤ−ＳＤＩ規格の所定の計算式で計算し、この計算されたＣＲＣ符号をＣＲＣ多重部２４が元のＨＤ−ＳＤＩ信号に付加する。すなわち、ＨＤ−ＳＤＩ信号に付加されていたＣＲＣ符号を新たに計算されたＣＲＣ符号に差し替える。
【００３８】
そして、データ多重部２５では、映像信号を載せたＨＤ−ＳＤＩ信号に、カメラアダプタ部２に付属したマイク（図外）から入力されたオーディオ信号とカメラヘッド部１のマイコンから入力されるＣＰＵデータを多重する。
その後、ＨＤ−ＳＤＩ信号を、Ｐ／Ｓ変換部２６でシリアル信号に変換し、Ｅ／Ｏ変換部２７で半導体レーザーの光信号に変換して、光ファイバケーブル６でカメラ制御装置３に伝送する。
【００３９】
カメラ制御装置３では、光ファイバケーブル６で伝送されてきたＨＤ−ＳＤＩ信号をＯ／Ｅ変換部３０でシリアル信号に変換し、Ｓ／Ｐ変換部３１でパラレルデータに変換して、データ分離部３２で、オーディオ信号とＣＰＵデータをＨＤ−ＳＤＩ信号から分離して各々マイク出力とカメラ制御装置内のマイコンに渡す。
【００４０】
そして、スイッチ部３５がＣＲＣ取り出し部３３に接続されている場合には、ＣＲＣ取り出し部３３が、ＨＤ−ＳＤＩ信号からＣＲＣ符号を取り出し、このＣＲＣ符号をＣＲＣ多重部３６が元のＨＤ−ＳＤＩ信号に再び付加する。
他方、スイッチ部３５がＣＲＣ計算部３４に接続されている場合には、ＣＲＣ計算部３４が、ＨＤ−ＳＤＩ信号に含まれている映像信号の輝度信号および色差信号についてＣＲＣ符号をＨＤ−ＳＤＩ規格の所定の計算式で計算し、この計算されたＣＲＣ符号をＣＲＣ多重部３６が元のＨＤ−ＳＤＩ信号に付加する。すなわち、ＨＤ−ＳＤＩ信号に付加されていたＣＲＣ符号を新たに計算されたＣＲＣ符号に差し替える。
【００４１】
その後、ＨＤ−ＳＤＩ信号をＰ／Ｓ変換部３７でシリアル信号に変換して、伝送ケーブル７を通してＨＤ−ＳＤＩ波形モニタ４に送る。
波形モニタ４では、ＨＤ−ＳＤＩ信号に含まれる映像信号を波形をモニタに表示してスタッフによる検査に供するが、カメラヘッド部１から波形モニタ４に至る複数の伝送路（すなわち、コネクタ５、光ファイバケーブル６、伝送ケーブル７）のいずれで伝送エラーが生じたかを検査する場合には、スタッフが切替え器８を操作してスイッチ部２３、３５を切り替える。
【００４２】
なお、伝送エラーがいずれの伝送路で発生したかの判定を行わない状態（例えば、通常の使用時）では、各スイッチ部２３、３５をそれそれＣＲＣ取り出し部２１、３３に接続した状態として、カメラヘッド部１で付加されたＣＲＣ符号がそのまま波形モニタ４に伝送されて伝送エラーチェックに供されるようにすればよい。
【００４３】
＜スイッチ状態１＞
まず、カメラ制御装置３から波形モニタ４までの間の伝送エラーをチェックする場合には、スイッチ部３５を切り替えてＣＲＣ計算部３４に接続させる。
これにより、波形モニタ４が、カメラ制御装置３において新たに付加されたＣＲＣ符号によって、ＨＤ−ＳＤＩ信号に含まれる映像信号の伝送エラーの有無を検知するので、伝送エラーが生じている場合にはカメラ制御装置３から波形モニタ４までの伝送路７での伝送エラーと判定することができ、また、伝送エラーが生じていない場合には伝送路７での伝送は正常であると判定することができる。
【００４４】
＜スイッチ状態２＞
次いで、カメラアダプタ部２から波形モニタ４までの間の伝送エラーをチェックする場合には、スイッチ部３５を切り替えてＣＲＣ取り出し部３３に接続し、且つ、スイッチ部２３を切り替えてＣＲＣ計算部２２に接続する。
これにより、波形モニタ４が、カメラアダプタ部２において新たに付加されたＣＲＣ符号によって、ＨＤ−ＳＤＩ信号に含まれる映像信号の伝送エラーの有無を検知するので、伝送エラーが生じている場合にはカメラアダプタ部２から波形モニタ４までの伝送路６又は伝送路７での伝送エラーと判定することができ、また、伝送エラーが生じていな場合には伝送路６又は伝送路７での伝送は正常であると判定することができる。
【００４５】
＜スイッチ状態３＞
次いで、カメラヘッド部１から波形モニタ４までの間の伝送エラーをチェックする場合には、スイッチ部３５を切り替えてＣＲＣ取り出し部３３に接続し、且つ、スイッチ部２３を切り替えてＣＲＣ取り出し部２１に接続する。
これにより、波形モニタ４が、カメラヘッド部１において付加されたＣＲＣ符号によって、ＨＤ−ＳＤＩ信号に含まれる映像信号の伝送エラーの有無を検知するので、伝送エラーが生じている場合にはカメラヘッド部１から波形モニタ４までの伝送路５又は伝送路６又は伝送路７での伝送エラーと判定することができ、また、伝送エラーが生じていな場合には伝送路５又は伝送路６又は伝送路７での伝送は正常であると判定することができる。
【００４６】
スイッチ状態１〜３のように、３通りのスイッチ切り替えを行って得られた伝送エラーチェックの結果を総合することにより、伝送エラーが生じている場合に、その伝送エラーが伝送路５又は伝送路６又は伝送路７のいずれで生じたものかが判定される。
【００４７】
すなわち、スイッチ状態１において、波形モニタ４で伝送エラーが検知された場合には、カメラ制御装置３から波形モニタ４までの伝送路７で伝送エラーが生じていると判定できる。
そして、スイッチ状態１において波形モニタ４で伝送エラーが検知されなかった場合に、スイッチ状態２に切り替え、このスイッチ状態２において、波形モニタ４で伝送エラーが検知された場合には、カメラアダプタ部２からカメラ制御装置３までの伝送路６で伝送エラーが生じていると判定できる。
そして、スイッチ状態１とスイッチ状態２のいずれでも波形モニタ４で伝送エラーが検知されなかった場合に、スイッチ状態３に切り替え、このスイッチ状態３において、波形モニタ４で伝送エラーが検知された場合には、カメラヘッド部１からカメラアダプタ部２までの伝送路５で伝送エラーが生じていると判定できる。
【００４８】
このようにスイッチ状態を切り替えて伝送エラーチェックを行うことで、カメラ制御装置３に接続した１台の誤り検出装置（波形モニタ）４で、カメラヘッド部１から波形モニタ４に至るどの伝送路でＨＤ−ＳＤＩ信号の伝送エラーが発生しているかを検知することができ、障害発生箇所の特定を容易にすることができる。
【００４９】
なお、上記の実施形態では、スイッチ部２３，３５を切替え器８からの遠隔操作で切り替えるようにしたが、スタッフが手動で切り替えるようにしてもよい。
また、誤り検出装置（波形モニタ）４による各伝送路エラーの判定は、各スイッチ状態における判定結果からスタッフが総合的に判定してもよく、あるいは、各スイッチ状態における判定結果からプログラム処理により自動的に総合的判定してもよい。
【００５０】
また、上記の実施形態では、カメラアダプタ部２とカメラ制御装置３に、ＣＲＣ取り出し部２１、３３を備えた経路と、ＣＲＣ計算部２２、３４を備えた経路とを並列に設け、これら経路をスイッチ部２３，３５で切り替えるようにしたが、本発明はこれに限らず、映像信号のＣＲＣ符号を変更させずに通過させる経路と、映像信号のＣＲＣ符号を再計算により変更させて通過させる経路とを並列に設け、これら経路をスイッチ部で切り替えるようにすればよい。
【００５１】
例えば、本発明では、上記の実施形態において、ＣＲＣ計算部２２、３４とＣＲＣ多重部２４、３６を直列に備えた経路と、ＣＲＣ取り出し部２１、３３を廃して、ＣＲＣ符号が付加された映像信号を素通りさせる経路とを並列に設け、これら経路をスイッチ部２３，３５で切り替えるようにしてもよい。
なお、スイッチ部で切り替えられる２つの経路間での信号の通過時間差を小さくする必要がある場合には、上記のＣＲＣ符号が付加された映像信号を素通りさせる経路に遅延器を設けるようにしてもよい。この意味では、ＣＲＣ取り出し部２１、３３（及びこれに関連して機能するＣＲＣ多重部２４、３６）は、ＣＲＣ符号の計算処理に起因する時間差を吸収する遅延部ということができる。
【符号の説明】
【００５２】
１：ＨＤＴＶカメラヘッド部、  ２：カメラアダプタ部、
３：カメラ制御装置、  ４：波形モニタ（誤り検出装置）、
５：コネクタ（伝送路）、  ６：光ファイバケーブル（伝送路）、
７：伝送ケーブル（伝送路）、  ８：切替え器、
２１、３３：ＣＲＣ取り出し部、  ２２、３４：ＣＲＣ計算部、
２３、３５：スイッチ部、  ２４、３６：ＣＲＣ多重部、
【図１】
2012175203.tif 000003
【図２】
2012175203.tif 000004
【図３】
2012175203.tif 000005